【手続補正書】
【提出日】平成18年10月5日(2006.10.5)
【手続補正１】
【補正対象書類名】特許請求の範囲
【補正対象項目名】全文
【補正方法】変更
【補正の内容】
【特許請求の範囲】
【請求項１】
上下面に開口された収納部が形成されていると共に、一対のバンド取付部が延出形成された合成樹脂製のケース本体と、
このケース本体の上面における前記収納部の開口周囲に取り付けられ、且つ前記収納部に対応する開口部を有する金属製のベゼルと、
このベゼルの前記開口部に取り付けられたガラスと、
前記ケース本体の下面に開口された前記収納部を塞ぐ金属製の裏蓋と、
前記ベゼルと前記裏蓋とを結合する結合部材とを備え、
前記一対のバンド取付部は、前記ベゼル及び前記裏蓋の外部側方に向けて延出され、一方のバンド取付部には、アンテナを収納するアンテナ収納部が設けられていることを特徴する時計ケース。
【請求項２】
前記ケース本体と前記ベゼルとは両面接着テープによって接着されていることを特徴する請求項１に記載の時計ケース。
【請求項３】
前記ケース本体と前記ベゼルとの間には防水リングが配置され、前記ベゼルは飾り部材によって前記ケース本体に固定されていることを特徴する請求項１に記載の時計ケース。
【請求項４】
前記ケース本体には金属製のリング部材が設けられ、このリング部材の外周側に対応する個所において前記ベゼルが前記ケース本体にパッキンを介して圧入されていることを特徴する請求項１に記載の時計ケース。
【請求項５】
上下面に開口された収納部が形成されていると共に、一対のバンド取付部が延出形成された合成樹脂製のケース本体と、
このケース本体の上面における前記収納部の開口周囲に取り付けられ、且つ前記収納部に対応する開口部を有する金属製のベゼルと、
このベゼルと前記ケース本体との間に設けられた防水リングと、
前記ベゼルの前記開口部に取り付けられたガラスと、
前記ケース本体の下面に開口された前記収納部を塞ぐ金属製の裏蓋と、
前記ベゼルと前記裏蓋とを結合する結合部材とを備え、
前記一対のバンド取付部は、前記ベゼル及び前記裏蓋の外部側方に向けて延出形成され、一方のバンド取付部には、アンテナを収納するアンテナ収納部が設けられていることを特徴する時計ケース。
【請求項６】
前記ベゼルと前記ケース本体とは固定部材によって仮固定されていることを特徴とする請求項５に記載の時計ケース。
【手続補正２】
【補正対象書類名】明細書
【補正対象項目名】０００４
【補正方法】変更
【補正の内容】
【０００４】
この発明が解決しようとする課題は、ケース本体を合成樹脂で形成してケース全体を薄く形成しても、十分な強度を確保することができ、かつ、ケース本体に収納したアンテナで電波を良好に且つ確実に受信することができる時計ケースを提供することである。
【手続補正３】
【補正対象書類名】明細書
【補正対象項目名】０００５
【補正方法】変更
【補正の内容】
【０００５】
この発明は、上記課題を解決するために、次のような構成要素を備えている。
【手続補正４】
【補正対象書類名】明細書
【補正対象項目名】０００６
【補正方法】変更
【補正の内容】
【０００６】
請求項１に記載の発明は、上下面に開口された収納部が形成されていると共に、一対のバンド取付部が延出形成された合成樹脂製のケース本体と、このケース本体の上面における前記収納部の開口周囲に取り付けられ、且つ前記収納部に対応する開口部を有する金属製のベゼルと、このベゼルの前記開口部に取り付けられたガラスと、前記ケース本体の下面に開口された前記収納部を塞ぐ金属製の裏蓋と、前記ベゼルと前記裏蓋とを結合する結合部材とを備え、前記一対のバンド取付部は、前記ベゼル及び前記裏蓋の外部側方に向けて延出され、一方のバンド取付部には、アンテナを収納するアンテナ収納部が設けられていることを特徴する時計ケースである。
【手続補正５】
【補正対象書類名】明細書
【補正対象項目名】０００７
【補正方法】変更
【補正の内容】
【０００７】
請求項２に記載の発明は、前記ケース本体と前記ベゼルとが両面接着テープによって接着されていることを特徴する請求項１に記載の時計ケースである。
【手続補正６】
【補正対象書類名】明細書
【補正対象項目名】０００８
【補正方法】変更
【補正の内容】
【０００８】
請求項３に記載の発明は、前記ケース本体と前記ベゼルとの間に防水リングが配置され、前記ベゼルが飾り部材によって前記ケース本体に固定されていることを特徴する請求項１に記載の時計ケースである。
【手続補正７】
【補正対象書類名】明細書
【補正対象項目名】０００９
【補正方法】変更
【補正の内容】
【０００９】
請求項４に記載の発明は、前記ケース本体に金属製のリング部材が設けられ、このリング部材の外周側に対応する個所において前記ベゼルが前記ケース本体にパッキンを介して圧入されていることを特徴する請求項１に記載の時計ケースである。
【手続補正８】
【補正対象書類名】明細書
【補正対象項目名】００１０
【補正方法】変更
【補正の内容】
【００１０】
請求項５に記載の発明は、上下面に開口された収納部が形成されていると共に、一対のバンド取付部が延出形成された合成樹脂製のケース本体と、このケース本体の上面における前記収納部の開口周囲に取り付けられ、且つ前記収納部に対応する開口部を有する金属製のベゼルと、このベゼルと前記ケース本体との間に設けられた防水リングと、前記ベゼルの前記開口部に取り付けられたガラスと、前記ケース本体の下面に開口された前記収納部を塞ぐ金属製の裏蓋と、前記ベゼルと前記裏蓋とを結合する結合部材とを備え、前記一対のバンド取付部は、前記ベゼル及び前記裏蓋の外部側方に向けて延出形成され、一方のバンド取付部には、アンテナを収納するアンテナ収納部が設けられていることを特徴する時計ケースである。
【手続補正９】
【補正対象書類名】明細書
【補正対象項目名】００１１
【補正方法】変更
【補正の内容】
【００１１】
請求項６に記載の発明は、前記ベゼルと前記ケース本体とが固定部材によって仮固定されていることを特徴とする請求項５に記載の時計ケースである。
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】変更
【補正の内容】
【００１３】
請求項１に記載の発明によれば、合成樹脂製のケース本体の上面における収納部の開口周囲に金属製のベゼルを取り付けると共に、このベゼルの開口部にガラスを取り付け、且つケース本体の下面に金属製の裏蓋を配置してその下面に開口された収納部を塞ぎ、この状態でベゼルと裏蓋とを結合部材で結合することにより、金属製のベゼルと金属製の裏蓋との間に合成樹脂製のケース本体を挟み込むことができ、このためケース本体が合成樹脂製であっても、金属製のベゼルと金属製の裏蓋とによって強度を確保することができ、これにより時計ケース全体を薄く形成しても、十分に強度を確保することができる。
また、ベゼル及び裏蓋の外部側方に向けて延出する時計バンド取付部に設けられたアンテナ収納部にアンテナを収納するので、アンテナをベゼルから外部側方に配置することができ、このためベゼルが金属製であっても、アンテナがベゼルの影響を受けることが少なく、これによりアンテナで電波を良好に且つ確実に受信することができる。
【手続補正１２】
【補正対象書類名】明細書
【補正対象項目名】００１７
【補正方法】変更
【補正の内容】
【００１７】
請求項５に記載の発明によれば、合成樹脂製のケース本体の上面に防水リングを介して金属製のベゼルを配置すると共に、このベゼルの開口部にガラスを取り付け、且つケース本体の下面に金属製の裏蓋を配置し、この状態でベゼルと裏蓋とを結合部材で結合することにより、金属製のベゼルと金属製の裏蓋との間に合成樹脂製のケース本体を挟み込むことができると共に、金属製のベゼルと合成樹脂製のケース本体との間に防水リングを挟み付けることができる。このため、ケース本体が合成樹脂製であっても、金属製のベゼルと金属製の裏蓋とによって強度を確保することができ、これにより時計ケース全体を薄く形成しても、十分に強度を確保することができると共に、防水リングによってケース本体とベゼルとの間の防水性をも確保することができ、これにより高気圧防水をも図ることができる。
また、ベゼル及び裏蓋の外部側方に向けて延出する時計バンド取付部に設けられたアンテナ収納部にアンテナを収納するので、アンテナをベゼルから外部側方に配置することができ、このためベゼルが金属製であっても、アンテナがベゼルの影響を受けることが少なく、これによりアンテナで電波を良好に且つ確実に受信することができる。
【手続補正１３】
【補正対象書類名】明細書
【補正対象項目名】００１９
【補正方法】削除
【補正の内容】